(57)【特許請求の範囲】
【請求項１】
ジャッキと共に用いられ、柱の上に設けられた梁の、柱に対する水平方向の位置調整に用いられる梁調整治具用構成部材であって、
(a)  梁に固定される梁側固定部材と、
(b)  前記梁側固定部材と柱との間に配設され、前記梁側固定部材と柱との間隔を調整するジャッキを支持すると共に、柱と梁との間に形成された隙間に差し込まれる係止片部を有するジャッキ支持部材とで構成されていることを特徴とする梁調整治具用構成部材。
【請求項２】
前記梁側固定部材は、梁に固定される固定部と、前記固定部から側方に向けて突設され、ジャッキによる伸長押圧力を受けて梁と共に水平移動するシャフトとを備えており、
前記シャフトが前記固定部に対して近接離間可能に取り付けられていることを特徴とする請求項１に記載の梁調整治具用構成部材。
【請求項３】
前記ジャッキ支持部材は、柱と梁との間に形成された隙間に差し込まれる前記係止片部と、ジャッキを支持する水平支持部と、前記係止片部と前記水平支持部とを接続する垂直支持部とを有しており、前記水平支持部には、ジャッキおよび前記シャフトが載置されるとともに、ジャッキの伸長押圧力を受けて柱から離間する方向に梁と共に水平移動する前記シャフトをガイドする断面略Ｖ字状のガイド部が設けられていることを特徴とする請求項１に記載の梁調整治具用構成部材。
【請求項４】
柱の上に設けられた梁の、柱に対する水平方向の位置調整に用いられる梁調整治具であって、
(a)  梁に固定された梁側固定部材と、
(b)  前記梁側固定部材と柱との間に配設され、その一端が柱に当接され、他端が前記梁側固定部材に当接され、その伸長押圧力によって前記梁側固定部材を柱に対して離間する方向に梁と共に水平移動させるジャッキと、
(c)  ジャッキを支持すると共に、柱と梁との間に形成された隙間に差し込まれる係止片部を有するジャッキ支持部材とで構成されていることを特徴とする梁調整治具。
【発明の詳細な説明】
【技術分野】
【０００１】
本発明は、建築物の施工現場において、柱に対する梁の水平方向の位置調整に用いられる梁調整治具ならびにこれに用いられる梁調整治具用構成部材に関する。
【背景技術】
【０００２】
近年、ビルなどの大型建築物を建造する際には、工期短縮のため、予め工場で製造しておいたプレキャスト製柱（以下、単に「柱」という。）やプレキャスト製梁（以下、単に「梁」という。）を建築現場に持ち込み、これを組み上げるという手法が採用されている。
【０００３】
柱Ｘならびに梁Ｙは、図１に示すようなコンクリート製のブロック状部材であり、柱Ｘの上面四隅には、レベル調整用ボルトＢがそれぞれ螺設されている。したがって、柱Ｘ間に梁Ｙを架け渡した状態では、梁Ｙが柱Ｘのレベル調整用ボルトＢによって支持されており、柱Ｘと梁Ｙとの間には、レベル調整用ボルトＢの頭分だけ隙間Ｓが形成されることになる。
【０００４】
ところで、梁Ｙの柱Ｘ間への架け渡し作業は、梁Ｙを図示しないクレーン等の重機で吊り上げることによって行なわれるが、柱Ｘに対する梁Ｙの水平方向の位置調整を重機で正確に行なうことはたとえ熟練工であっても容易ではない。
【０００５】
そこで、柱Ｘに対する梁Ｙの水平方向の位置調整を行なうための道具として、従来から梁調整治具（梁位置決め装置）が用いられてきた（例えば、特許文献１参照）。
【０００６】
この従来の梁調整治具は、ジャッキと、ジャッキを支持するサポートとで大略構成されており、ジャッキの作動力によって梁調整治具の全長を調整できるようになっている。
【０００７】
従来の梁調整治具を使用して柱Ｘに対する梁Ｙの水平方向の位置調整を行なう際には、梁調整治具の全長を縮めて梁Ｙの下にこれを配置し、然る後、ジャッキを作動させて梁調整治具の全長を伸長させる。すると、梁Ｙの端部が僅かに浮き上がり、柱Ｘとの間の摩擦抵抗が小さくなるので、柱Ｘに対する梁Ｙの水平方向の位置調整を人力で行なうことができるようになる。そして、位置調整が完了すれば、梁調整治具を縮めて取り外す。
【０００８】
なお、梁Ｙの水平レベル調整は、柱Ｘと梁Ｙとの間の隙間Ｓに工具を挿入してレベル調整用ボルトＢを回転させ、レベル調整用ボルトＢの高さを調整すればよい。
【０００９】
このようにして柱Ｘに対する梁Ｙの水平方向の位置調整ならびに梁Ｙの水平レベル調整が完了すれば、隙間Ｓにモルタルを充填する。
【特許文献１】特開２００１−２４８３０８号公報
【発明の開示】
【発明が解決しようとする課題】
【００１０】
従来の梁調整治具では、梁の水平方向の位置調整を人力で行なう必要があったが、梁のような非常に大重量の部材の位置調整を人力で行なうのは大変な労力を伴うし、また、目線よりも高い所にある梁の水平位置調整をするのは作業性も悪く、その位置を正確に調整するのは大変困難である。
【００１１】
それ故に、本発明の目的は、目線よりも高い所にある大重量の梁の水平方向の位置調整を簡単且つ正確に行なうことが可能な梁調整治具ならびにこれに用いられる梁調整治具用構成部材を提供することである。
【課題を解決するための手段】
【００１２】
請求項１に記載した発明は、「ジャッキ４０とともに用いられ、柱Ｘの上に設けられた梁Ｙの、柱Ｘに対する水平方向の位置調整に用いられる梁調整治具用構成部材１０であって、(a)梁Ｙに固定される梁側固定部材１２と、(b)梁側固定部材１２と柱Ｘとの間に配設され、梁側固定部材１２と柱Ｘとの間隔ｄを調整するジャッキ４０を支持すると共に、柱Ｘと梁Ｙとの間に形成された隙間Ｓに差し込まれる係止片部３４ｃを有するジャッキ支持部材１４とで構成されている」ことを特徴とする梁調整治具用構成部材１０である。
【００１３】
この発明では、ジャッキ４０を作動させると、梁側固定部材１２がジャッキ４０からの伸長押圧力を受けて柱Ｘから離間する方向に水平移動する。梁側固定部材１２は、梁Ｙに固定されているので、梁側固定部材１２がジャッキ４０からの伸長押圧力を受けて柱Ｘから離間する方向に水平移動すると、梁側固定部材１２が固定されている梁Ｙも梁側固定部材１２と共に水平移動し、これにより、柱Ｘに対する梁Ｙの水平方向の位置調整が可能となる。
【００１４】
なお、梁Ｙの水平方向の位置調整を行なう際、梁調整治具用構成部材１０を構成している梁側固定部材１２は梁Ｙに固定されており、ジャッキ支持部材１４は、係止片部３４ｃを柱Ｘと梁Ｙとの間の隙間Ｓに差し込むことによって係止されており、このジャッキ支持部材１４上にジャッキ４０が支持されるようになる。したがって、梁Ｙの水平方向の位置調整作業時において、梁調整治具用構成部材１０から手を離しても梁調整治具用構成部材１０やジャッキ４０が落下することはなく、梁Ｙの水平方向の位置調整作業の作業性が大いに高められる。
【００１５】
請求項２に記載した発明は、「梁側固定部材１２は、梁Ｙに固定される固定部１６と、固定部１６から側方に向けて突設され、ジャッキ４０による伸長押圧力を受けて梁Ｙと共に水平移動するシャフト２８とを備えており、シャフト２８が固定部１６に対して近接離間可能に取り付けられている」ことを特徴とするものである。
【００１６】
梁調整治具用構成部材１０の梁側固定部材１２を梁Ｙに固定する際は、梁Ｙに設けられた既設のアンカーナットＹａが利用されるのであるが、この既設のアンカーナットＹａの位置によっては、梁側固定部材１２と柱Ｘとの間の間隔ｄが広すぎて、梁Ｙを目的の位置に位置決めするために必要な梁Ｙの水平方向の移動量がジャッキ４０の伸長押圧力の及ぶ範囲を超えてしまう場合がある（勿論、この場合は梁Ｙを目的の位置に位置決めすることができない）。
【００１７】
この点、本発明によれば、固定部１６に対するシャフト２８の突出長さを調整することによって、梁Ｙの必要移動量をジャッキ４０の伸長押圧力が及ぶ範囲内に収めることができるので、上述した問題が生じることはなく、梁Ｙを目的の位置に確実に位置決めできる。
【００１８】
請求項３に記載した発明は、「ジャッキ支持部材１４は、柱Ｘと梁Ｙとの間に形成された隙間Ｓに差し込まれる係止片部３４ｃと、ジャッキ４０を支持する水平支持部３４ａと、係止片部３４ｃと水平支持部３４ａとを接続する垂直支持部３４ｂとを有しており、水平支持部３４ａには、ジャッキ４０およびシャフト２８が載置されるとともに、ジャッキ４０の伸長押圧力を受けて柱Ｘから離間する方向に梁Ｙと共に水平移動するシャフト２８をガイドする断面略Ｖ字状のガイド部３６が設けられている」ことを特徴とする。
【００１９】
この発明によれば、ジャッキ４０の伸長押圧力を受けて柱Ｘから離間する方向に梁Ｙと共に水平移動するシャフト２８をガイド部３６がガイドできるので、ジャッキ４０の伸長押圧力をシャフト２８に確実に伝達させることができる。
【００２０】
なお、ガイド部３６は、その断面形状が略Ｖ字状に形成されているので、ガイド部３６にジャッキ４０やシャフト２８を載置するだけでジャッキ４０の軸芯Ｍ２とシャフト２８の軸芯Ｍ１とガイド部３６の折曲線３６ａとが同一平面上に配設されることになる。そして、シャフト２８の外径をジャッキ４０の外径と大略等しく形成しておけば、ジャッキ４０の軸芯Ｍ２とシャフト２８の軸芯Ｍ１とが完全に一致し、ジャッキ４０の伸長押圧力をシャフト２８により確実に伝達できる。
【００２１】
請求項４に記載した発明は、「柱Ｘの上に設けられた梁Ｙの、柱Ｘに対する水平方向の位置調整に用いられる梁調整治具６０であって、(a)梁Ｙに固定された梁側固定部材１２と、(b)梁側固定部材１２と柱Ｘとの間に配設され、その一端が柱Ｘに当接され、他端が梁側固定部材１２に当接され、その伸長押圧力によって梁側固定部材１２を柱Ｘに対して離間する方向に梁Ｙと共に水平移動させるジャッキ４０と、(c)ジャッキ４０を支持すると共に、柱Ｘと梁Ｙとの間に形成された隙間Ｓに差し込まれる係止片部３４ｃを有するジャッキ支持部材１４とで構成されている」ことを特徴とする梁調整治具６０である。
【００２２】
この発明では、ジャッキ４０を作動させると、梁側固定部材１２がジャッキ４０からの伸長押圧力を受けて柱Ｘから離間する方向に水平移動する。梁側固定部材１２は、梁Ｙに固定されているので、梁側固定部材１２が水平移動すると、梁側固定部材１２の取付対象である梁Ｙも梁側固定部材１２と一緒に水平移動し、これにより、柱Ｘに対する梁Ｙの水平方向の位置調整が可能となる。
【００２３】
なお、ジャッキ４０の一端を柱Ｘに当接させる態様としては、ジャッキ支持部材１４を介して柱Ｘに当接させる場合と、柱Ｘに直接当接させる場合とが考えられる。
【発明の効果】
【００２４】
本発明によれば、目線よりも高いところにある梁の水平方向の位置を簡単かつ確実に調整することが可能な梁調整治具ならびにこれに用いられる梁調整治具用構成部材を提供できる。
【発明を実施するための最良の形態】
【００２５】
以下、本発明を図面に従って説明する。図１は、本発明にかかる梁調整治具用構成部材１０の使用状態を示す図であり、図２は、図１の部分詳細図である。図３は、本発明にかかる梁調整治具用構成部材１０を示す斜視図である。
【００２６】
図１〜図３から分かるように、梁調整治具用構成部材１０は、ジャッキ４０と共に用いられて柱Ｘに対する梁Ｙの水平方向の位置調整を行なうために用いられるものであり、梁側固定部材１２とジャッキ支持部材１４とで大略構成されている。
【００２７】
梁側固定部材１２は、図４〜図６に示すように、固定部１６と作用部１８とで構成されている。なお、図４は、梁側固定部材１２の正面図であり、図５は、梁側固定部材１２の平面図であり、図６は、梁側固定部材１２の右側面図である。
【００２８】
固定部１６は、天板２０と側板２２と補強リブ２４と雌ネジ部材２６とで構成されている。
【００２９】
天板２０は、金属等の剛性材料からなる横長矩形状の板材であり、その左右両端部には、ボルト挿通用の丸孔２０ａがそれぞれ形成されている。
【００３０】
側板２２は、天板２０と同様、金属等の剛性材料からなる横長矩形状の板材であり、側板２２の短手方向一方端部端縁（図４中、上端部端縁）が天板２０の底面前端部（図４中、下面左側端部）に溶接固定されている。なお、本実施例では、天板２０と側板２２とを別部材にて構成し、これらが断面略逆Ｌ字状となるように組み合わされて互いに溶接固定されているが、天板２０と側板２２とを金属板の折り曲げ加工により構成してもよい。
【００３１】
補強リブ２４は、金属等の剛性材料からなる略三角形状の板材であり、２枚の補強リブ２４が天板２０と側板２２との一体物の入隅部に所定間隔を隔てて溶接固定されている。
【００３２】
雌ネジ部材２６は、金属等の剛性材料からなる円筒状の部材であり、その軸方向一方端部（図４中、右側端部）が側板２２の前面（補強リブ２４が取り付けられるのとは反対側の面であり、図４における左側の面）に溶接固定されている。雌ネジ部材２６の中心には、後述する雄ネジ部材３０の雄ネジ３０ａが螺合される雌ネジ２６ａが螺設されている。
【００３３】
作用部１８は、シャフト２８と雄ネジ部材３０とナット３２とで構成されている。
【００３４】
シャフト２８は、金属等の剛性材料からなる円柱状の部材であり、その外径は、後述するジャッキ４０のジャッキ本体４２の外径と大略等しく設定されている。シャフト２８の軸方向一方端部（図４中、右側端部）には、雌ネジ部材２６の雌ネジ２６ａに螺合される雄ネジ部材３０が突設されている。そして、この雄ネジ部材３０にナット３２が螺装されている。
【００３５】
ジャッキ支持部材１４は、図７〜図９に示すように、ジャッキ支持部３４と、ガイド部３６とで構成されている。なお、図７は、ジャッキ支持部材１４の正面図であり、図８は、ジャッキ支持部材１４の平面図であり、図９は、ジャッキ支持部材１４の右側面図である。
【００３６】
ジャッキ支持部３４は、後述するジャッキ４０を支持するものであり、水平支持部３４ａと垂直支持部３４ｂと係止片部３４ｃとで構成されている。
【００３７】
水平支持部３４ａは、金属などの剛性材料からなる細長矩形状の板材であり、その上面には、後述するガイド部３６が溶接固定されている。
【００３８】
垂直支持部３４ｂは、水平支持部と同様、金属等の剛性材料からなる細長矩形状の板材であり、その長手方向の長さ（図７における上下方向の長さ）は、ガイド部３６にジャッキ４０およびシャフト２８を載置したときに、これらの部材が梁Ｙと接触することがないように適宜設定されている。なお、垂直支持部３４ｂには、ガイド部３６にジャッキ４０を載置したときにジャッキ４０のピストンロッド４４が嵌り込む嵌合孔５６（図９参照）を設けるようにしてもよい。
【００３９】
係止片部３４ｃは、その先端両角部が切り落とされて先細状に形成された板状の部材であり、その先端を柱Ｘと梁Ｙとの間の隙間Ｓに挿入することによってジャッキ支持部材１４（より詳しく言えば、ジャッキ４０が載置された状態のジャッキ支持部材１４）を係止できるよう、その厚みや長さが適宜設定されている。
【００４０】
なお、本実施例では、水平支持部３４ａと垂直支持部３４ｂと係止片部３４ｃとを別部材にて構成し、これらが断面略Ｚ字状となるように組合わされて互いに溶接固定されているが、これらを金属板の折り曲げ加工により構成してもよい。
【００４１】
ジャッキ支持部３４の水平支持部３４ａには、ガイド部３６が溶接固定されている。ガイド部３６は、金属等の剛性材料からなる矩形状の板材をその中央部分で折り曲げることによって断面略Ｖ字状に形成された部材である（勿論、所定長さに切断した２枚のチャネル同士を断面略Ｖ字状に組合わせて互いに溶接固定してもよい）。ガイド部３６の底面中央部分には、その一端から他端にかけて折曲線３６ａが形成されている。
【００４２】
ガイド部３６の上端縁には、凹所３６ｂが形成されている。凹所３６ｂは、ジャッキ４０をガイド部３６に載置する際、アーム４６を凹所３６ｂ内へ容易に案内できるよう、その角部が丸められている。
【００４３】
次に、梁調整治具用構成部材１０の使用方法を、図１および図２に従って説明する。梁調整治具用構成部材１０を用いて柱Ｘに対する梁Ｙの水平方向の位置調整を行なうには、まず、ジャッキ４０を準備する必要がある。
【００４４】
ここで、ジャッキ４０（ここでは油圧ジャッキである。）の構成について簡単に説明しておくと、油圧ジャッキ４０は、図１０に示すように、円筒状のジャッキ本体４２と、ジャッキ本体４２内に収容されているピストンロッド４４と、ジャッキ本体４２から側方に突設されているアーム４６とで大略構成されている。アーム４６には、回転ハンドル４６ａが取り付けられており、この回転ハンドル４６ａを回転操作すると、内部に収納されている圧油が押し出され（又は吸引されて）ピストンロッド４４がジャッキ本体４２に対して上下方向にμｍオーダーで突出・没入するよう構成されている（そして、この油圧ジャッキ４０の伸長押圧力が、後述するようにシャフト２８に伝達されることになる）。
【００４５】
以上のように構成されているジャッキ４０を、ジャッキ支持部材１４のガイド部３６に載置する。ジャッキ４０をガイド部３６に載置する際は、アーム４６がガイド部３６の凹所３６ｂから突出するように載置されることになる。なお、梁調整治具用構成部材１０（梁側固定部材１２およびジャッキ支持部材１４）とジャッキ４０とを組合わせたものが梁調整治具６０である。
【００４６】
次に、ジャッキ４０が載置されたジャッキ支持部材１４を手で持ち上げ、ジャッキ支持部材１４の係止片部３４ｃの先端を柱Ｘと梁Ｙとの間の隙間Ｓに挿入する。すると、ジャッキ支持部材１４が柱Ｘと梁Ｙとの間の隙間Ｓに係止されるので、手を離してもジャッキ支持部材１４やジャッキ４０が地面に落下することはない。
【００４７】
梁側固定部材１２の梁Ｙへの取付作業を行なう際は、先ず、シャフト２８に取り付けられている雄ネジ部材３０を固定部１６の雌ネジ部材２６に螺入して固定部１６に対するシャフト２８の突出長さが最小となるように調整する（このとき、ナット３２は予めシャフト２８側に移動させておく）。
【００４８】
次に、梁側固定部材１２のシャフト２８の先端をガイド部３６に載置するとともに固定部１６を梁Ｙの底面に宛がい、天板２０の丸孔２０ａと梁Ｙの底面に形成されている既設のアンカーナットＹａとが一致するように梁側固定部材１２の位置を調整し、別途準備しておいたボルト４８を用いてボルト止めする。これにより、梁側固定部材１２の梁Ｙへの固定が完了する。なお、シャフト２８の突出長さは最小となっているので、梁側固定部材１２を梁Ｙに固定した状態では、シャフト２８とジャッキ４０との間に隙間が存在している。
【００４９】
梁側固定部材１２の梁Ｙへの固定が完了すれば、シャフト２８を螺出させてその先端をジャッキ４０に当接させる。これにより、ジャッキ４０は、その一端（ピストンロッド４４の先端）が垂直支持部３４ｂと接触し、他端（ジャッキ本体４２の底面）がシャフト２８と接触することになる。
【００５０】
ここで、ガイド部３６は、その断面形状が略Ｖ字状に形成されているので、ガイド部３６にジャッキ４０とシャフト２８とを載置すれば、ジャッキ４０の軸芯Ｍ２とシャフト２８の軸芯Ｍ１とガイド部３６の折曲線３６ａとが同一平面上に配設されることになる。
【００５１】
しかも、シャフト２８の外径は、上述したように、ジャッキ本体４２の外径と大略等しく設定されている。したがって、この外径が大略等しいシャフト２８とジャッキ本体４２とを断面略Ｖ字状のガイド部３６に載置するだけでシャフト２８の軸芯Ｍ１とジャッキ４０の軸芯Ｍ２とが完全に一致し、ジャッキ４０の伸長押圧力をシャフト２８に効果的に伝達することができるようになる。なお、梁Ｙの柱Ｘからの高さ（すなわち、レベル調整用ボルトＢの突出量）によっては、シャフト２８がガイド部３６に載置されず、ガイド部３６から宙に浮いた状態となるケースもある。このような場合には、レベル調整用ボルトＢの突出量を低くしたり、或いは、固定部１６と梁Ｙとの間にスペーサーを噛ませたりすることによってシャフト２８の位置を下げ、ガイド部３６に載置されるよう調整すればよい。
【００５２】
そして、最後に、ナット３２を雌ネジ部材２６と当接するように締め付ければ、梁Ｙの水平方向の位置調整を行なう準備が完了する。なお、ナット３２を雌ネジ部材２６と当接するように締め付けるのは、ダブルナットの効果を期待できるからである。すなわち、ナット３２によるダブルナットの効果によってシャフト２８と固定部１６とが一体化され、ジャッキ４０の伸長押圧力が作用部１８を介して固定部１６に伝達されるとき、作用部１８を構成している雄ネジ部材３０の雄ネジ３０ａと固定部１６を構成している雌ネジ部材２６の雌ネジ２６ａとの間に過大な力が加わって両者のネジ山が破損するのを防止するためである。
【００５３】
以上のようにして梁調整治具６０（梁調整治具用構成部材１０およびジャッキ４０）の設置が完了すれば、ジャッキ４０を作動させて梁Ｙの水平方向の位置調整作業を行なう。
【００５４】
すなわち、回転ハンドル４６ａを回転操作してピストンロッド４４が突出すると、その伸長押圧力が作用部１８のシャフト２８から固定部１６を介して梁Ｙに伝達され、梁Ｙが柱Ｘに対して離間する方向（図２における右側）へ水平移動する。梁Ｙの柱Ｘに対する水平方向の位置調整は、ジャッキ４０の伸長押圧力によって行なわれるので、μｍオーダーでの調整が可能であり、正確な位置調整ができる。
【００５５】
以上のようにして、梁Ｙを所定距離移動させれば、梁Ｙの柱Ｘに対する水平方向の位置調整が完了する。位置調整作業が完了すれば、回転ハンドル４６ａを逆方向に回転させてピストンロッド４４を没入させ、梁調整治具６０（梁調整治具用構成部材１０およびジャッキ４０）を柱Ｘや梁Ｙから取り外す。
【００５６】
なお、上述実施例では、柱Ｘに対する梁Ｙの位置調整をその一例として説明したが、例えば、木製の柱や梁に適用することも可能である。
【図面の簡単な説明】
【００５７】
【図１】使用状態を示す図である。
【図２】図２における部分詳細図である。
【図３】梁調整治具用構成部材を示す斜視図である。
【図４】梁側固定部材を示す正面図である。
【図５】梁側固定部材を示す平面図である。
【図６】梁側固定部材を示す右側面図である。
【図７】ジャッキ支持部材を示す正面図である。
【図８】ジャッキ支持部材を示す平面図である。
【図９】ジャッキ支持部材を示す右側面図である。
【図１０】ジャッキを示す図である。
【符号の説明】
【００５８】
１０…梁調整治具用構成部材
１２…梁側固定部材
１４…ジャッキ支持部材
１６…固定部
１８…作用部
２８…シャフト
３４…ジャッキ支持部
３４ａ…水平支持部
３４ｃ…係止片部
３６…ガイド部
４０…ジャッキ
６０…梁調整治具
Ｘ…柱
Ｙ…梁
【図１】
0005080343.tif 000002
【図２】
0005080343.tif 000003
【図３】
0005080343.tif 000004
【図４】
0005080343.tif 000005
【図５】
0005080343.tif 000006
【図６】
0005080343.tif 000007
【図７】
0005080343.tif 000008
【図８】
0005080343.tif 000009
【図９】
0005080343.tif 000010
【図１０】
0005080343.tif 000011